(57)【特許請求の範囲】
【請求項１】
空隙をあけて隣接する２つの建物の各躯体間にわたって、各建物の相互に近接および離反する左右方向および水平面上で前記左右方向に対して垂直な前後方向への相対的変位を許容可能な状態で、前記空隙を塞ぐカバー本体が、各躯体の床面とほぼ同一平面を成して設けられ、
一方の躯体には、凹部を形成し、この凹部に、カバー本体を左右方向および前後方向に移動自在に支持する複数の第１可動支持手段が、左右方向および前後方向に間隔をあけて設けられ、
他方の躯体の前記一方の躯体に臨む対向壁面には、前後方向に延びる案内部材が上下方向および左右方向に変位調整可能に設けられ、
カバー本体の他方の躯体側の端部には、前記案内部材に前後方向に移動自在に支持される第２可動支持手段が設けられ、
カバー本体の左右方向両端部のうちの少なくとも一方には、見切り部材が設けられることを特徴とする床用伸縮継手装置。
【請求項２】
空隙をあけて隣接する２つの建物の各躯体間にわたって、各建物の相互に近接および離反する左右方向および水平面上で前記左右方向に対して垂直な前後方向への相対的変位を許容可能な状態で、前記空隙を塞ぐカバー本体が、各躯体の床面とほぼ同一平面を成して設けられ、
他方の躯体の前記一方の躯体に臨む対向壁面には、前後方向に延びる案内部材が上下方向および左右方向に変位調整可能に設けられ、
カバー本体は、一方の躯体上に形成される凹部に、左右方向および前後方向に間隔をあけて設けられる複数の第１可動支持手段によって、前後方向および左右方向に移動自在に支持されるとともに、前記案内部材に案内される第２可動支持手段によって、前後方向に移動自在に支持され、
一方の躯体には、カバー本体の一方の躯体上に配置される領域を上方から覆う固定カバー体が設けられ、
固定カバー体と凹部との間には、補助支持部材が介在されることを特徴とする床用伸縮継手装置。
【発明の詳細な説明】
【０００１】
【発明の属する技術分野】
本発明は、相互に隣接する２つの建物間に存在する目地空間などの空隙を、地震などによる各建物間の相対的変位を許容可能な状態で塞ぐ床用伸縮継手装置に関する。
【０００２】
【従来の技術】
図６は、典型的な従来の技術の床用伸縮継手装置１を示す鉛直断面図であり、類似の技術は、たとえば特開平１０−３０２７８号公報に開示されている。この床用伸縮継手装置１は、目地空間として存在する空隙２をあけて隣接する２つの建物３ａ，３ｂのコンクリート製スラブである各躯体４ａ，４ｂ間にわたって設けられるカバー本体５と、カバー本体５の他方の躯体４ｂ側の一部を除いた一方の躯体４ａ寄りの残部の領域を上方から覆う第１カバー体６と、第１カバー体６およびカバー本体５の他方の躯体４ｂ側の端部を上方から覆う第２カバー体７と、カバー本体５に設けられ、カバー本体５を一方の躯体４ａ上で支持する案内ローラ８ａ，８ｂと、他方の躯体４ｂ上に複数のアンカーボルトおよびナットなどから成るアンカー体９によって固定される取付部材１０と、第２カバー体７を取付部材１０上に固定する固定部材１１とを有する。
【０００３】
カバー本体５は、第１カバー体６に対して、案内ロッド１２によって、図６の紙面に垂直な前後方向に変位自在に連結される。カバー本体５はまた、案内ローラ８ａ，８ｂによって、一方の躯体４ａ上に左右方向（図６の左右方向）に変位自在に支持される。第１カバー体６の一方の躯体４ａ側の端部には、図６の左方である外側方に向かって下方に傾斜した見切り部１３が形成される。第２カバー体７の他方の躯体４ｂ側の端部には、図６の右方である外側方に向かって下方に傾斜した見切り部１４が形成される。
【０００４】
このようにこの従来の技術では、各建物３ａ，３ｂが前後方向および左右方向に相対的変位を生じても、その変位を許容して、前記空隙２を塞いだ状態で維持することができるように構成されている。
【０００５】
【発明が解決しようとする課題】
上記従来の技術では、各躯体４ａ，４ｂの床面上に、カバー本体５、第１カバー体６および第２カバー体７が積重状態で載置されるので、各床面からの突出量δ１，δ２が大きく、たとえば２０〜３０ｍｍの段差が発生する。このように各床面からの突出量δ１，δ２が大きいと、高齢者、身体障害者および車椅子などの通行者にとって、通行の妨げになりやすく、より円滑にかつ安全に通行することができる床用伸縮継手装置が望まれている。
【０００６】
本発明の目的は、各床面から突出する段差を可及的に少なくして、円滑かつ安全に通行することができるようにした床用伸縮継手装置を提供することである。
【０００７】
【課題を解決するための手段】
請求項１記載の本発明は、空隙をあけて隣接する２つの建物の各躯体間にわたって、各建物の相互に近接および離反する左右方向および水平面上で前記左右方向に対して垂直な前後方向への相対的変位を許容可能な状態で、前記空隙を塞ぐカバー本体が、各躯体の床面とほぼ同一平面を成して設けられ、
一方の躯体には、凹部を形成し、この凹部に、カバー本体を左右方向および前後方向に移動自在に支持する複数の第１可動支持手段が、左右方向および前後方向に間隔をあけて設けられ、
他方の躯体の前記一方の躯体に臨む対向壁面には、前後方向に延びる案内部材が上下方向および左右方向に変位調整可能に設けられ、
カバー本体の他方の躯体側の端部には、前記案内部材に前後方向に移動自在に支持される第２可動支持手段が設けられ、
カバー本体の左右方向両端部のうちの少なくとも一方には、見切り部材が設けられることを特徴とする床用伸縮継手装置である。
【０００８】
本発明に従えば、他方の躯体の対向壁面に案内部材を固定して第２可動支持手段が前後方向に案内され、カバー本体の前後方向の移動だけが許容される。一方の躯体の凹部には、複数の第１可動支持手段が設置され、前記カバー本体は、一方の躯体の床面から大きく突出することなく、左右方向および前後方向に移動自在に、かつ安定して支持される。
【０００９】
このように複数の第１可動支持手段は、一方の躯体に形成された凹部に設けられ、第２可動支持手段は、他方の躯体の対向壁面に設けられる案内部材に支持されるので、前記カバー本体を各床面とほとんど同一高さに設置することが可能となり、各床面からのカバー本体の突出量を可及的に少なくして、通行に際して実質的に段差をなくし、高齢者、身体障害者および車椅子などの通行者が、円滑かつ安全に通行することが可能となる。
【００１０】
また一方の躯体の凹部には、複数の第１可動支持手段が左右方向および前後方向に間隔をあけて設けられるので、カバー本体を、前記左右方向および前後方向の移動に拘わらず、安定して支持することができるとともに、前記通行者の通行時における重量によって大きく撓むことが防がれ、これによってカバー本体の各躯体の床面に対する段差の発生が防止される。
【００１１】
さらに他方の躯体の対向壁面に設けられる案内部材は、上下方向および左右方向に変位調整可能であるので、カバー本体の各床面からの突出量がなるべく少なくなるように、前記案内部材の対向壁面に対する取付位置を上下方向および左右方向に調整することができ、各床面に対して上方への浮上がりなどの無駄な段差の発生をなくすことが可能となり、これによってもまた、安全性が向上される。さらにまた、カバー本体の前記左右方向両端部のうちの少なくとも一方には、見切り部材が設けられるので、カバー本体の端面が前記見切り部材によって覆われ、したがって前記カバー本体の端面が床面上に露出して段差が生ずることが防がれ、これによってもまた、円滑な通行が可能となり、安全性が向上される。
【００１２】
請求項２記載の本発明は、空隙をあけて隣接する２つの建物の躯体間にわたって、各建物の相互に近接および離反する左右方向および水平面上で前記左右方向に対して垂直な前後方向への相対的変位を許容可能な状態で、前記空隙を塞ぐカバー本体が、各躯体の床面とほぼ同一平面を成して設けられ、
他方の躯体の前記一方の躯体に臨む対向壁面には、前後方向に延びる案内部材が上下方向および左右方向に変位調整可能に設けられ、
カバー本体は、一方の躯体上に形成される凹部に、左右方向および前後方向に間隔をあけて設けられる複数の第１可動支持手段によって、前後方向および左右方向に移動自在に支持されるとともに、前記案内部材に案内される第２可動支持手段によって、前後方向に移動自在に支持され、
一方の躯体には、カバー本体の一方の躯体上に配置される領域を上方から覆う固定カバー体が設けられ、
固定カバー体と凹部との間には、補助支持部材が介在されることを特徴とする床用伸縮継手装置である。
【００１３】
本発明に従えば、一方の躯体の凹部にカバー本体が第１可動支持手段によって左右方向および前後方向に移動自在に支持され、他方の躯体面の対向壁面には第２可動支持手段によって、前後方向に移動自在に支持される。前記第１可動支持手段は、一方の躯体の凹部に左右方向および前後方向に間隔をあけて複数設けられるので、カバー本体を安定して支持することができる。また通行者による重量によってカバー本体が大きく撓むことが防がれるので、この撓みによる段差および隙間などの発生が防がれ、通行時の安全性が向上される。
【００１４】
また一方の躯体に固定カバー体が設けられ、この固定カバー体によって前記カバー本体の一方の躯体上に配置される領域を上方から覆うようにしたので、カバー本体の上方に臨んで露出する領域を少なくして、突出する部分をなくし、固定カバー体と凹部との間に前記カバー本体の移動を許容することができる広いスペースを確保し、各建物間の大きな相対的変位を許容することが可能となる。
【００１５】
さらに固定カバー体と凹部との間に補助支持部材が介在されるので、固定カバー体の撓みもまた、この補助支持部材によって防がれ、固定カバー体と凹部との間で前記カバー本体を自在に移動させることができる。これによって各躯体が相互に離反する方向に大きく変位しても、固定カバー体は補助支持部材によって支持され、固定カバー体が大きく撓むことが防がれ、段差の発生をなくし、安全性が向上されるとともに、固定カバー体と凹部との間に一定の間隔を前記補助支持部材によって確保することができるので、固定カバー体と凹部との間でカバー本体が常に円滑に移動することが可能となる。
【００１６】
【発明の実施の形態】
図１は、本発明の実施の一形態の床用伸縮継手装置２１を示す鉛直断面図である。本実施の形態の床用伸縮継手装置２１は、目地空間として設けられる空隙２２をあけて隣接する２つの建物２３ａ，２３ｂのコンクリート製スラブである各躯体２４ａ，２４ｂ間にわたって、各建物２３ａ，２３ｂの相互に近接および離反する左右方向Ａおよび水平面上で前記左右方向Ａに対して垂直な前後方向（図１の紙面に垂直な方向）Ｂへの相対的変位を許容可能な状態で、前記空隙２２を塞ぐカバー本体２５と、一方の躯体２４ａに形成される凹部２６に前記カバー本体２５を左右方向Ａおよび前後方向Ｂに移動自在に支持する複数の第１可動支持手段２７ａ，２７ｂと、各躯体２４ａ，２４ｂの相互に対向する対向壁面２８ａ，２８ｂのうち、他方の躯体２４ｂの前記一方の躯体２４ａに臨む対向壁面２８ｂに上下方向（図１の上下方向）Ｃおよび左右方向Ａに変位調整可能に設けられ、図１の紙面に垂直な前後方向Ｂに延びる案内部材２９と、カバー本体２５の他方の躯体２４ｂ側の端部に設けられ、前記案内部材２９に前後方向Ｂに移動自在に支持される第２可動支持手段３０と、案内部材２９に上下方向Ｃに変位調整可能に設けられる見切り部材３１と、カバー本体２５の一方の躯体２４ａ側の端部に固定されるもう１つの見切り部材３２とを含む。
【００１７】
カバー本体２５は、たとえば鋼板から成る基板３５と、この基板３５の上表面にビスまたは溶接などの周知の固定手段によって固定される表面板３６とを有する。前記一方の躯体２４ａ側の端部に設けられる見切り部材３２は、ビス３７によって基板３５に固定される。一方の躯体２４ａの凹部２６には、左右方向Ａに間隔をあけて空隙２２寄りに下地材３８が固定され、この下地材３８は前記第１可動支持手段２７ａが図１の紙面に垂直な前後方向Ｂに間隔をあけて複数、設けられる。
【００１８】
また、この下地材３８よりも外側方、すなわち図１の左方には、アンカーボルト３９およびナット４０によって下地材４１が固定される。この下地材４１には、前記第１可動支持手段２７ｂが前後方向Ｂに間隔をあけて複数、設けられる。凹部２６の各下地材３８，４１の外側の空間には、セメントモルタルなどによって実現される充填材５９が充填される。この充填材５９の上面は、各第１可動支持手段２７ａ，２７ｂによって支持されたカバー本体２５の下面と僅かな隙間をあけて離間している。
【００１９】
各第１可動支持手段２７ａ，２７ｂは、任意の方向に自在に転動可能な球状のローラ２７ａ１，２７ｂ１を備えるボールキャスタによって実現される。このように各第１可動支持手段２７ａ，２７ｂがボールキャスタによって実現されることによって、カバー本体２５はその下面に各ローラ２７ａ１，２７ｂ１が点接触した状態で支持され、可及的に摺動摩擦を小さくして摺動抵抗を少なくし、水平面上における任意の方向に急激な各建物２３ａ，２３ｂ間の相対的変位が生じても、カバー本体２５は一方の建物２３ａに対して円滑に移動することができ、カバー本体２５の破損が防がれる。
【００２０】
さらに、上記のようにボールキャスタから成る第１可動支持手段２７ａ，２７ｂによってカバー本体２５自身が直接各ローラ２７ａ１，２７ｂ１に接触して支持されるので、別途にレールなどの部材を設ける必要がなく、施工が容易である。しかも第１可動支持手段２７ａ，２７ｂは、全長に設けられるのではなく、カバー本体２５の撓みが最小になる位置にだけ設ければよいので、配置の上で自由度が高く、設計上の自由度が向上されるとともに、カバー本体２５を支持するための機構を簡素化することができる。
【００２１】
図２は、第１可動支持手段２７ａ，２７ｂの一方の躯体２４ａへの取付状態を説明するための拡大断面図である。上記のように第１可動支持手段２７ａ，２７ｂは、下地材３８，４１にそれぞれ設けられるので、一方の躯体２４ａの凹部２６の上面が正確に仕上げられていない状態であっても、各第１可動支持手段２７ａ，２７ｂは、図２の紙面に垂直な方向に整列して同一高さで正確に設置することができる。また第１可動支持手段２７ａ，２７ｂは、左右方向Ａおよび前後方向Ｂに間隔をあけて複数設けられるので、カバー本体２５を安定して支持することができるとともに、少なくとも空隙２２寄りに配置される一方の第１可動支持手段２７ａによってカバー本体２５は常に支持されるので、各建物２３ａ，２３ｂが相互に近接および離反しても、カバー本体２５が支持されずに下方に撓みを生じ、各躯体２４ａ，２４ｂが復帰して相互に近接する方向に変位したとき、カバー本体２５が第１可動支持手段２７ａ，２７ｂ上に円滑に復帰せず、たとえば側端部の見切り部材３２が外側方の第２可動支持手段２７ｂよりも下方に湾曲して、球状ローラ上に確実に復帰されず、破損してしまうという不具合を防止することができる。
【００２２】
このような第１可動支持手段２７ａ，２７ｂによってカバー本体２５が支持された状態では、前記見切り部材３２は、躯体２４ａの床面４３上に接触し、隙間を生じることなく摺動自在な状態で大きな段差が生じることを防止している。したがって通行時に高齢者、身体障害者および車椅子などの通行者の通行の障害となるおそれはなく、円滑にかつ安全に通行することができる。
【００２３】
図３は、第２可動支持手段３０の他方の躯体２４ｂへの取付状態を説明するための拡大断面図である。前記案内部材２９は、第２可動支持手段３０が嵌まり込む上方に開口した断面が凹状の第１案内溝部４４と、この第１案内溝部４４に連なり、下方に開放した断面が略Ｃ字状の第２案内溝部４５と、第２案内溝部４５につながり上方に屈曲して突出する取付部４６とを有する。このような案内部材２９は、アルミニウム合金から成る押出形材によって実現される。また前記第２可動支持手段３０は、上記の第１可動支持手段２７ａ，２７ｂと同様なボールキャスタによって実現される。
【００２４】
前記対向壁面２８ｂには、アンカーボルト４７およびナット４８によってライナープレート４９とブラケット５０とが固定される。ブラケット５０は、断面がＬ字状の鋼鉄製の形材から成り、その長手方向に間隔をあけて前記アンカーボルト４７が挿通する上下調整用長孔５１と、案内部材２９を固定するためのボルト５３が挿通する左右調整用長孔５２とが形成される。
【００２５】
ボルト５３の頭部は、案内部材２９の第２案内溝部４５に図３の紙面に垂直な長手方向に移動自在に嵌まり込み、案内部材２９のブラケット５０への前後方向Ｂの取付位置を調整することができる。また案内部材２９の左右方向Ａの位置決めは、前記左右調整用長孔５２によって行うことができ、この左右調整用長孔５２を挿通したボルト５３には、ナット５４が螺着され、左右方向Ａの最適な位置で案内部材２９が固定される。
【００２６】
また上下調整用長孔５１に沿ってブラケット５０は移動可能であるので、このブラケット５０に上記のようにして固定される案内部材２９の上下方向Ｃの位置を、前記カバー本体２５が他方の躯体２４ｂの床面５４と同一平面を成すように調整することができる。
【００２７】
案内部材２９の前記取付部４６には、断面が略Ｔ字状の支持片５５がビス５６によって固定される。この支持片５５は、取付部４６に対して上下方向Ｃに移動させて高さを調整し、見切り部材３１の先端が前記床面５４に接触させる程度の最適な位置にし、見切り部材３１を位置決めして取付けることができる。この見切り部材３１は、ビス５６によって支持片５５に着脱可能に取付けられるため、この見切り部材３１を外した状態で、カバー本体２５をもう一方の見切り部材３２とともに容易に着脱交換することができる。また前記見切り部材３１によってカバー本体２５の他方の躯体２４ｂ側の端部と床面５４との間が塞がれるので、カバー本体２５と他方の躯体２４ｂとの間に隙間が発生せず、安全であるとともに、カバー本体２５と他方の躯体２４ｂとの干渉を確実になくし、カバー本体２５の損傷が防がれる。
【００２８】
以上のように一方の躯体２４ａについては、凹部２６を設けて第１可動支持手段２７ａ，２７ｂを左右方向Ａおよび前後方向Ｂに間隔をあけて複数設け、これによってカバー本体２５の床面３３の突出量を可及的に少なくすることができる。また他方の躯体２４ｂについては、その対向壁面２８ｂにブラケット５０を固定して案内部材２９を設け、ブラケット５０によって上下方向および左右方向の位置を調整し、これによってカバー本体２５が床面５４に対してほぼ同一平面を成すように位置決めして配置することができ、こうしてカバー本体２５の各床面３３，５４からの突出量を少なくして、通行障害となる段差の発生を少なくし、円滑および安全な通行を達成することが可能となる。
【００２９】
図４は本発明の実施の他の形態の床用伸縮継手装置２１ａを示す鉛直断面図であり、図５は図４の切断面線Ｖ−Ｖから見た拡大断面図である。なお、前述の実施の形態と対応する部分には同一の参照符を付す。本実施の形態の床用伸縮継手装置２１ａは、図４の紙面に垂直な前後方向Ｂに間隔をあけて設けられる複数のホルダ６１上に平坦状の表面板６２が溶接またはビスなどの固定手段によって固定されたカバー本体２５を有し、このカバー本体２５上には一方の躯体２４ａの床面３３に固定された固定カバー体６３によって覆われる。
【００３０】
この固定カバー体６３と凹部２６の下地材６６との間には、カバー本体２５にワイヤ６４によって連結された補助支持部材６５が介在され、前記固定カバー体６３の載荷による撓みが防がれている。前記ワイヤ６４は、床用伸縮継手装置２１ａを設置した当初の状態で、カバー本体２５の端部と凹部２６の上面に敷設された下地材６６の端部との間の左右方向Ａの中間部に配置された補助支持部材６５との間で弛緩状態で連結され、各建物２３ａ，２３ｂが相互に離反する方向に変位したときには、ワイヤ６４によってカバー本体２５に追従して下地材６６上を移動することができるように構成される。下地材６６は、複数の形材６７および形材６７の上部に溶接などによって水平に固定される平坦状の摺動プレート６８とを有する。
【００３１】
各ホルダ６１は、その断面が下方に開放した逆Ｕ字状の形材によって実現され、このホルダ６１内には前述の実施の形態と同様な構成を有する第１可動支持手段２７ａ，２７ｂが設けられる。各第１可動支持手段２７ａ，２７ｂの球状ローラは、前記固定カバー体６３の下面に下方から接触し、円滑に移動することができる。
【００３２】
上述の図１〜図５に示される実施の各形態では、第１および第２可動支持手段２７ａ，２７ｂ；３０は、球状ローラを備えるボールキャスタによって実現されるが、本発明の実施の他の形態では、前記ボールキャスタ以外の構成として、たとえば前記球状ローラに代えて、滑り性の良好なプラスチック製の摺動板を、撓みを最小とする位置に複数箇所設けて、カバー本体２５の下面に直接、面接触させ、摺動可能にカバー本体２５を支持する構成であってもよい。このような構成を用いた場合においても、前述の実施の形態のボールキャスタを用いた場合と同様に、カバー本体２５に対して僅かな摺動抵抗で支持することができるとともに、前記摺動板の厚みが小さいため、前記ボールキャスタに比べて前記凹部２６の床面からの深さが小さく、躯体２４ａの前記凹部２６形成箇所における有効高さ（または厚み）の減少が少なくて済み、コンクリートのはつりなど加工の手間が削減される。
【００３３】
【発明の効果】
請求項１記載の本発明によれば、一方の躯体に凹部を形成して、この凹部に複数の第１可動支持手段を設けてカバー本体を支持し、また他方の躯体の対向壁面に案内部材を設けて第２可動支持手段によって前記カバー本体を支持するように構成されるので、カバー本体の各躯体の床面からの突出量を可及的に少なくして円滑かつ安全に通行することができるようになる。
【００３４】
また案内部材には見切り部材が上下方向に変位調整可能に設けられるので、この見切り部材の上下方向の調整によってカバー本体と床面との間が確実に塞がれるように調整することが可能となり、これによって段差の発生を防ぎ、円滑なかつ安全な通行を実現することが可能となる。しかも見切り部材を外すことによって、カバー本体を容易に交換することが可能であり、カバー本体の損傷時などにおけるカバー本体の取付けおよび取外し作業が容易となる。
【００３５】
請求項２記載の本発明によれば、一方の躯体の凹部に複数の第１可動支持手段によってカバー本体を支持し、このカバー本体上に固定カバー体を設けて上方から覆うように構成されるので、カバー本体を床面よりも下方に配置し、これによって床面からカバー本体が突出することを防ぎ、床面と固定カバー体との間の段差を少なくして、通行時に対する安全性および円滑性を向上することができる。また固定カバー体と凹部との間に補助支持部材が介在されるので、固定カバー体が通行時の荷重によって撓みを生じ、この撓みによってカバー本体の変位が阻害されるという不具合が防止される。また補助支持部材は、カバー本体に連結されているので、各躯体が相対的変位を生じても、前記補助支持部材はカバー本体に追従し、固定カバー体をカバー本体よりも離れた位置で常に支持することが可能となり、これによって各建物の変位に拘わらず、固定カバー体の撓みを防止し、カバー本体が常に円滑に移動できる状態を維持することができる。
【図面の簡単な説明】
【図１】本発明の実施の一形態の床用伸縮継手装置２１を示す鉛直断面図である。
【図２】第１可動支持手段２７ａ，２７ｂの一方の躯体２４ａへの取付状態を説明するための拡大断面図である。
【図３】第２可動支持手段３０の他方の躯体２４ｂへの取付状態を説明するための拡大断面図である。
【図４】本発明の実施の他の形態の床用伸縮継手装置２１ａを示す鉛直断面図である。
【図５】図４の切断面線Ｖ−Ｖから見た拡大断面図である。
【図６】典型的な従来の技術の床用伸縮継手装置１を示す鉛直断面図である。
【符号の説明】
２１，２１ａ  床用伸縮継手装置
２２  空隙
２３ａ，２３ｂ  建物
２４ａ，２４ｂ  躯体
２５  カバー本体
２６  凹部
２７ａ，２７ｂ  第１可動支持手段
２８ａ，２８ｂ  対向壁面
２９  案内部材
３０  第２可動支持手段
３１，３２  見切り部材
３３，５４  床面
３８，４１，６６  下地材
５０  ブラケット
５５  支持片
６３  固定カバー体
６４  ワイヤ
６５  補助支持部材
【図１】
0004575582.tif 000002
【図２】
0004575582.tif 000003
【図３】
0004575582.tif 000004
【図４】
0004575582.tif 000005
【図５】
0004575582.tif 000006
【図６】
0004575582.tif 000007